(57)【要約】 【課題】シール材（爪装飾用部材）及び光硬化型のジェル剤を使用する爪装飾方法（ネイルアート）において、装飾面を薄く且つ堅牢に形成する。【解決手段】爪Ｂの表面に光重合タイプのジェル剤を塗布して硬化させてベース層１２を形成した後、未硬化状態の表面（未硬化ジェル１２ａ）に、ベース層形成ジェル剤と同材質で薄膜状に形成し所望の色彩及び形状とした爪装飾用部材（シール材Ａ）を、未硬化ベース層表面を接着層として貼付硬化してなる。【選択図】図２
2013244141.tif 000002
【特許請求の範囲】
【請求項１】
爪装飾に使用するベース層形成の光重合タイプのジェル剤で、薄膜状に形成すると共に所望の色彩及び形状に形成してなることを特徴とする爪装飾用部材。
【請求項２】
厚さが１００ミクロン以下とした請求項１記載の爪装飾用部材。
【請求項３】
爪又は人工爪の表面に光重合タイプのジェル剤を塗布し硬化させてベース層を形成した後、未硬化状態の表面に、ベース層形成ジェル剤と同材質で薄膜状に形成し所望の色彩及び形状とした爪装飾用部材を、未硬化ベース層表面を接着層として貼付硬化してなることを特徴とする爪の装飾方法。
【請求項４】
爪装飾用部材の色彩形成面をベース層側にして貼付してなる請求項３記載の爪の装飾方法。
【発明の詳細な説明】
【技術分野】
【０００１】
本発明は、ネイルアートと称されている爪の装飾方法及び前記装飾方法に使用する装飾用部材に関するものである。
【背景技術】
【０００２】
爪に種々の模様色彩を施して装飾することは、ネイルアートと称され一般的に広く行われている。特に種々の爪の装飾手段のうち、平面的な装飾手段は、爪の表面に紫外線硬化樹脂等のジェル状部材（特許文献１，３，４，５等）を薄く塗布して硬化させた後に、その表面に筆やエアーブラシで色彩模様を形成し、或いは薄いシート状の装飾部材や接着剤が塗布されているシール（特許文献１，２）で色彩模様を形成し、更にその表面を透明なトップコートで保護するようにしている。
【先行技術文献】
【特許文献】
【０００３】
【特許文献１】特開２００１−１６９８２３号公報。
【特許文献２】特開２００４−２０２７６８号公報。
【特許文献３】特開２００９−５６０７７号公報。
【特許文献４】特開２００９−１２６８３３号公報。
【特許文献５】特開２０１１−１６７３１５号公報
【発明の概要】
【発明が解決しようとする課題】
【０００４】
現在最も多用されている一般的な手段は、ジェル状部材でベース層を形成し、転写シール（特許文献２に開示されている貼付用シール）を貼付し、トップコートを施すものであるが、例えばジェル状部材として紫外線硬化樹脂を採用すると、前記ジェル部材は紫外線硬化時に空気と接触する表面は硬化せず、前記シールとの接着性が悪いので非硬化部分をふき取る作業が必要である。
【０００５】
またシール材は、表示層と接着層の二重構造であることから厚みがあり、重ねて貼付を行う場合や、爪際まで貼付する場合には浮き上がってしまい、その耐久性に問題がある。
【０００６】
そこで本発明は、作業性及び耐久性に優れた新規なシール材（装飾用部材）及び装飾方法を提案したものである。
【課題を解決するための手段】
【０００７】
本発明に係る爪装飾用部材（シール材）は、爪装飾に使用するベース層形成の光重合タイプのジェル剤で、薄膜状に形成すると共に所望の色彩及び形状に形成してなることを特徴とするものである。
【０００８】
また本発明に係る爪の装飾方法は、爪又は人工爪の表面に光重合タイプのジェル剤を塗布し硬化させてベース層を形成した後、未硬化状態の表面に、ベース層形成ジェル剤と同材質で薄膜状に形成し所望の色彩及び形状とした爪装飾用部材を、未硬化ベース層表面を接着層として貼付硬化してなることを特徴とするものである。
【０００９】
而してベース層となるジェル剤として例えば紫外線や可視光線の照射で光重合反応して硬化する材質のものを採用するもので、爪装飾用部材（シール材）は、予め同ジェル剤を光透過のフィルム間で薄く進展して空気遮断状態とし、これに光（紫外線・可視光線）を照射して硬化させ薄膜に形成し、この薄膜に適宜な色彩を施して形成するものである。着色処理は、前記の硬化処理前に行っても良いし、或いは硬化処理後にしても良い。着色薄膜は星形、ハート型、葉型等の所望形状に切り取り、所定のシール材として製出する。
【００１０】
爪の装飾（ネイルアート）は、最初に爪の表面処理（清浄化等）を行った後、前記シール材に使用したジェル剤と同一のものを塗布し、光重合反応で硬化させる。前記の硬化処理において、表面層は空気（酸素）と接触しており、硬化せず未硬化状態となる。その未硬化状態の表面の上に前記シール材を配置して所望の模様形成を行い、更に光硬化処理を行い、或いはジェル剤を塗布した後に光硬化処理を行うと、シール材とベース層との間の未硬化部分はその硬化によって接着層として機能する。また仕上げとして未硬化部分を拭除し、必要であればトップコート（保護膜層）を施すものである。従ってベース層と模様形成層（シール材）は同種材であり、剥離することなく一体化されることで、堅牢性が高められる。
【発明の効果】
【００１１】
本発明の構成は、上記のとおりベース層のジェル剤とシール材の材質が同一の物を採用し、ベース層の表面未硬化部分をシール材の接着層として使用するもので、接着剤を必要としないシール材は、薄く形成することができるので、重なり部分が生じても何ら支障なく、爪装飾として厚く形成されることなく、またベース層と同一材質であり、硬化処理によってシール材がベース層と一体となるもので、その耐久性も向上するものである。
【図面の簡単な説明】
【００１２】
【図１】本発明方法の実施形態の過程説明図（ベース層形成とシール材製出まで）。
【図２】同図（シール材貼付から仕上げまで）。
【図３】同仕上がり状態の爪の平面図。
【発明を実施するための形態】
【００１３】
次に本発明（爪装飾用部材：シール部材）の製出について説明する。シール部材Ａは、爪装飾（ネイルアート）に使用するジェル剤１を原材料とするものである。ジェル剤１は種々の製品が市販されているが、紫外線や可視光線の照射で光重合反応して硬化する材質（例えば主成分が、「メタクリル酸エステルモノマー、アクリル酸オリゴマー、光重合開始剤」「ポリエチレンアクリレートオリゴマー等）のものを採用する。
【００１４】
前記ジェル剤１を光透過のフィルム２間で薄く進展して空気遮断状態とし、これに光照射（紫外線・可視光線）３を照射して硬化させ、薄膜（厚さが１００ミクロン以下の数十ミクロン）１１に形成する。前記の薄膜１１には適宜な色彩を施すものであるが、着色処理は、ジェル剤１自体に着色剤（顔料）予め混入させておいても良いが、薄膜であるために色彩が薄いので、別に着色処理を施したほうが良い。
【００１５】
例えば着色処理として水溶性アクリル絵の具をエアスプレー４で、薄膜硬化後または薄膜硬化前にその表面に着色したり、硬化後に直接ペインティングを行って模様着色を施すものである。
【００１６】
更に薄膜硬化後で着色処理後に前記薄膜１１を、星形、ハート型、葉型等の所望形状に切り取り、シール材Ａを製出するものである。
【００１７】
本発明方法は、前記シール材Ａを使用しての爪装飾方法（ネイルアート）であり、基本作業手順は従前と同様で、最初に爪Ｂの清浄作業を行う。清浄作業は、甘皮処理を行い、次に表面を軽くサイディング処理（ベース層１２との密着性の確保のため）を行い、最後にダスト除去を行う。
【００１８】
清浄化された爪Ｂの表面に、透明又は着色ジェル剤１を厚さが均一となるように塗布する。ジェル剤１を塗布して光照射３を行い、塗布ジェル剤を硬化させてベース層１２を形成する。このベース層１２の形成に際して、表面側は空気と接触しており未硬化ジェル１２ａとなる。
【００１９】
従前においては、そのまま未硬化ジェル１２ａを拭除していたが、本発明はそのままで、表面未硬化ジェル１２ａを接着層としてシール材Ａを貼付し、所望の模様形成を行う。
【００２０】
シール材Ａの貼付が終了すると、そのまま光照射３を行って表面未硬化ジェル１２ａを硬化させて接着層として機能するようにしても良いが、再度透明又は着色ジェル剤１を塗布し、最終光照射３によって硬化させて保護層１３を形成するほうが良い。
【００２１】
尚特に上記の保護層１３の形成を行わずに、接着層硬化後、未硬化ジェル１２ａを拭き取り、別部材のトップコート（透明保護膜）を塗布形成する場合には、未硬化ジェル１２ａを拭き取り作業時に、シール部材Ａの色落ちが生じないように、前記シール材Ａの貼付に際しては、色彩形成面を裏面とする。
【００２２】
保護層１３を形成した後（最終光硬化）に、表面側に未硬化ジェル１３ａが残るので、これを拭き取り、更に表面を磨いて仕上げ処理を行うものである。
【００２３】
以上のように本発明は、シール材Ａとしてジェル剤１と同一材で形成したものであるから、ベース層１２の形成時における表面未硬化ジェル１２ａをそのままシール材Ａの接着剤として利用することができるものであり、別の接着剤を必要とする従前のシール材に比較して薄く形成でき、これによってシール材の重ね装飾ａ（図３）も容易に実現でき、これによって全体の強度が増し、亀裂発生の防止にも役立つ。
【００２４】
またベース層１２、シール材Ａ、保護層１３の全てが同一材であり、光重合による硬化で一体化されるもので、堅牢性が確保できるので、爪際装飾ｂを行っても捲り上がりが生ずる虞もない。
【００２５】
尚上記実施形態は爪Ｂに直接装飾を施す例を示したが、ネイルチップ（人工爪）に対しても同様に適用できるものである。また光照射による硬化の具体的な適用（光の照射時間等）は、使用するジェル剤に対応して適宜定められるものである。
【符号の説明】
【００２６】
Ａ        シール材
Ｂ        爪
１        ジェル剤
１１      薄膜
１２      ベース層
１２ａ    未硬化ジェル
１３      保護層
１３ａ    未硬化ジェル
２      フィルム
３      光照射
４      エアスプレー
【図１】
2013244141.tif 000003
【図２】
2013244141.tif 000004
【図３】
2013244141.tif 000005